【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
双子葉植物、あるいはコムギ、イネおよびトウモロコシから選択される単子葉植物について、植物の生長、植物の生産性、種子の発芽率または土壌品質を向上させる方法であって、前記植物に、少なくとも１種の植物有益性のバークホルデリア属様の種を含む処理剤を適用するステップを含み、前記少なくとも１種の植物有益性のバークホルデリア属様の種は、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）に対する１６Ｓ  ｒＲＮＡの配列同一性が少なくとも９７％であり、前記細菌ＳＯＳ３の１６Ｓ  ｒＲＮＡ配列は、配列番号３に示されるものであり、且つ前記少なくとも１種の植物有益性のバークホルデリア属様の種は、前記植物の根にバイオフィルムを形成するように構成されている、方法。
【請求項２】
植物の生長を促進する方法であって、
双子葉植物、あるいはコムギ、イネおよびトウモロコシから選択される単子葉植物の種子または実生を、少なくとも１種の植物有益性のバークホルデリア属様の種を含む有効量の処理剤で処理するステップであって、前記少なくとも１種の植物有益性のバークホルデリア属様の種は、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）に対する１６Ｓ  ｒＲＮＡの配列同一性が少なくとも９７％であり、前記細菌ＳＯＳ３の１６Ｓ  ｒＲＮＡ配列は、配列番号３に示されるものであり、且つ前記少なくとも１種の植物有益性のバークホルデリア属様の種は、前記実生または前記種子から発生した実生の根にバイオフィルムを形成するように構成されており、
前記種子または実生を、無土壌生長培地において初期期間育成して、小植物体まで育成するステップと、
前記小植物体を圃場または温室条件に移植するステップと
を含む方法。
【請求項３】
前記無土壌生長培地の少なくとも一部が、前記処理剤を含む、請求項２に記載の方法。
【請求項４】
前記小植物体を移植した際には、追加量の前記処理剤で処理された肥料または堆肥を含む土壌において栽培される、請求項２または請求項３に記載の方法。
【請求項５】
前記種子または実生を処理する前記ステップが、リン脂質、リンタンパク質、リン酸エステル、糖リン酸およびフィチン酸塩からなる群より選ばれる少なくとも１種を用いる併用処理を含む、請求項２〜４のいずれか一項に記載の方法。
【請求項６】
前記少なくとも１種の植物有益性のバークホルデリア属様の種が、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）である、請求項１〜５のいずれか一項に記載の方法。
【請求項７】
双子葉植物、あるいはコムギ、イネおよびトウモロコシから選択される単子葉植物について、植物の生長、植物の生産性、種子の発芽率または土壌品質を向上させる方法であって、前記双子葉植物または前記単子葉植物に微生物接種材料を適用するステップを含み、前記微生物接種材料は、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）、Burkholderia oxyphila、Burkholderia sacchari、Burkholderia ferrariae、Burkholderia heleia、およびBurkholderia bannensisからなる群から選択される少なくとも１種の細菌を含み、前記少なくとも１種の細菌は、前記微生物接種材料によって処理された種子または土壌を用いて発芽または生長させた植物の根に、バイオフィルムを形成するように構成されている、方法。
【請求項８】
前記処理剤は、前記少なくとも１種の植物有益性のバークホルデリア属様の種を含む肥料組成物である、請求項１に記載の方法。
【請求項９】
前記少なくとも１種の植物有益性のバークホルデリア属様の種は、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）である、請求項８に記載の方法。
【請求項１０】
前記肥料組成物は、少なくとも１種の植物栄養素をさらに含む、請求項８または請求項９に記載の方法。
【請求項１１】
前記少なくとも１種の植物栄養素が、堆肥またはコンポストを含む、請求項１０に記載の方法。
【請求項１２】
前記少なくとも１種の植物栄養素が、リン脂質、リンタンパク質、リン酸エステル、糖リン酸およびフィチン酸塩からなる群から選ばれる１種または複数種を含む、請求項１０または１１に記載の方法。
【請求項１３】
双子葉植物、あるいはコムギ、イネおよびトウモロコシから選択される単子葉植物の実生を育成するための方法であって、無土壌生長培地で実生を育成するステップを含み、前記無土壌生長培地は少なくとも１種の植物有益性のバークホルデリア属様の種からなる群から選択される少なくとも１種の細菌を含み、前記少なくとも１種の植物有益性のバークホルデリア属様の種は、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）に対する１６Ｓ  ｒＲＮＡの配列同一性が少なくとも９７％であり、前記細菌ＳＯＳ３の１６Ｓ  ｒＲＮＡ配列は、配列番号３に示されるものであり、且つ前記少なくとも１種の植物有益性のバークホルデリア属様の種は、前記無土壌生長培地で育成させた実生の根にバイオフィルムを形成するように構成されている、方法。
【請求項１４】
前記少なくとも１種の植物有益性のバークホルデリア属様の種が、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）である、請求項１３に記載の方法。
【請求項１５】
前記無土壌生長培地は、少なくとも１種の植物栄養素をさらに含む、請求項１３または請求項１４に記載の方法。
【請求項１６】
前記少なくとも１種の植物栄養素が、リン脂質、リンタンパク質、リン酸エステル、糖リン酸およびフィチン酸塩からなる群から選ばれる１種または複数種を含む、請求項１５に記載の方法。
【請求項１７】
双子葉植物、あるいはコムギ、イネおよびトウモロコシから選択される単子葉植物の植物種子を被覆するためのコーティングであって、前記コーティングは、少なくとも１種の植物有益性のバークホルデリア属様の種からなる群から選択される少なくとも１種の細菌を含むコーティングで被覆されており、前記少なくとも１種の植物有益性のバークホルデリア属様の種が、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）に対する１６Ｓ  ｒＲＮＡの配列同一性が少なくとも９７％であり、前記細菌ＳＯＳ３の１６Ｓ  ｒＲＮＡ配列は、配列番号３に示されるものであり、且つ前記少なくとも１種の植物有益性のバークホルデリア属様の種は、前記被覆植物種子から育成された実生の根にバイオフィルムを形成するように構成されている、コーティング。
【請求項１８】
細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）の株であって、配列番号３に示される１６Ｓ  ｒＲＮＡ配列を有する株。
【手続補正２】
【補正対象書類名】明細書
【補正対象項目名】発明の名称
【補正方法】変更
【補正の内容】
【発明の名称】植物の生長を向上させるための方法、コーティングおよび細菌ＳＯＳ３株
【手続補正３】
【補正対象書類名】明細書
【補正対象項目名】００１０
【補正方法】変更
【補正の内容】
【００１０】
本発明の第１の態様では、双子葉植物、あるいはコムギ、イネおよびトウモロコシから選択される単子葉植物について、植物の生長、植物の生産性、種子の発芽または土壌品質を向上させる方法であって、植物に、少なくとも１種の植物有益性のバークホルデリア属様の種を含む処理剤を適用するステップを含む方法が提供される。
【手続補正４】
【補正対象書類名】明細書
【補正対象項目名】００１８
【補正方法】変更
【補正の内容】
【００１８】
少なくとも１種の植物有益性のバークホルデリア属様の種は、任意の適した供給源から単離されたものでもよい。少なくとも１種の植物有益性のバークホルデリア属様の種は、単子葉植物、特に、コムギ、イネまたはトウモロコシから選択される単子葉植物から単離されたもの、またはこれに近接するものでもよい。少なくとも１種の植物有益性のバークホルデリア属様の種は、双子葉植物、特に、トマト、キュウリ、マメ類、エンドウマメ、ブロッコリー、キャベツ、大豆、カリフラワー、レタス、ダイコン、イチゴまたはジャガイモを含む（またはこれから選択される）双子葉植物から単離されたもの、またはこれに近接するものでもよい。少なくとも１種の植物有益性のバークホルデリア属様の種は、植物の根圏、特に、上述の単子葉植物または双子葉植物の根圏から単離されたものでもよい。一実施形態では、少なくとも１種の植物有益性のバークホルデリア属様の種は、ナス目、特に、ナス科（トマト等）の植物の根圏から単離される。一実施形態では、少なくとも１種の植物有益性のバークホルデリア属様の種は、トマトの根圏から単離される。
【手続補正５】
【補正対象書類名】明細書
【補正対象項目名】００２９
【補正方法】変更
【補正の内容】
【００２９】
別の態様では、植物生長を促進する方法であって、
双子葉植物、あるいはコムギ、イネおよびトウモロコシから選択される単子葉植物の種子または実生を、少なくとも１種の植物有益性のバークホルデリア属様の種を含む有効量の処理組成物（または処理剤）で処理するステップと、
無土壌生長培地において処理された種子または実生を初期期間育成して、小植物体まで育成するステップと、
小植物体を圃場または温室条件に移すステップと
を含む方法が提供される。
【手続補正６】
【補正対象書類名】明細書
【補正対象項目名】００３７
【補正方法】変更
【補正の内容】
【００３７】
微生物接種材料は、コムギ、イネおよびトウモロコシから選択される単子葉植物、および／または双子葉植物について、植物の生長、植物の生産性、種子の発芽率または土壌品質を向上させるように使用する（または適合されている）ものでもよい。双子葉植物は、上述通りのものでもよい。
【手続補正７】
【補正対象書類名】明細書
【補正対象項目名】００４２
【補正方法】変更
【補正の内容】
【００４２】
肥料組成物は、コムギ、イネおよびトウモロコシから選択される単子葉植物、および／または双子葉植物について、植物の生長、植物の生産性、種子の発芽率または土壌品質の向上のために使用する（またはこれに適合されている）ものでもよい。双子葉植物は、上述通りのものでもよい。
【手続補正８】
【補正対象書類名】明細書
【補正対象項目名】００４７
【補正方法】変更
【補正の内容】
【００４７】
植物種子は、単子葉植物、特に、コムギ、イネおよびトウモロコシを含む（またはこれから選択される）単子葉植物のものでもよい。植物種子は、双子葉植物のものでもよい。双子葉植物は、上述通りのものでもよい。
【手続補正９】
【補正対象書類名】明細書
【補正対象項目名】００５２
【補正方法】変更
【補正の内容】
【００５２】
別の態様では、本発明は、コムギ、イネ、トウモロコシから選択される単子葉植物および／またはトマト、キュウリ、マメ類、エンドウマメ、ブロッコリー、キャベツ、大豆、カリフラワー、レタス、ダイコン、イチゴ、ジャガイモのうちの１種もしくは複数を含む双子葉植物について、植物の生長もしくは種子の発芽もしくは植物の生産性の向上または土壌品質の向上における使用のための微生物接種材料であって、バークホルデリア属に属する微生物から単離されたか、これに由来する、細菌ＳＯＳ１、細菌ＳＯＳ２、細菌ＳＯＳ３またはバークホルデリア属のＱ２０８株を含む接種材料を提供する。本発明のさらなる態様では、コムギ、イネ、トウモロコシのうちの１種もしくは複数を含む単子葉植物および／またはトマト、キュウリ、マメ類、エンドウマメ、ブロッコリー、キャベツ、大豆、カリフラワー、レタス、ダイコン、イチゴ、ジャガイモのうちの１種もしくは複数を含む双子葉植物について、植物の生長もしくは種子の発芽率もしくは植物の生産性の向上または土壌品質の向上における使用のための微生物接種材料であって、細菌ＳＯＳ１、細菌ＳＯＳ２、細菌ＳＯＳ３の微生物、またはバークホルデリア属に属し、
（ｉ）大気中窒素に対する固定能、および
（ｉｉ）植物の根におけるバイオフィルム形成能
を有する微生物を含む微生物接種材料が提供される。
【手続補正１０】
【補正対象書類名】明細書
【補正対象項目名】００６５
【補正方法】変更
【補正の内容】
【００６５】
ある実施形態では、肥料は、コムギ、イネ、トウモロコシのうちの１種もしくは複数を含む単子葉植物および／またはトマト、キュウリ、マメ類、エンドウマメ、ブロッコリー、キャベツ、大豆、カリフラワー、レタス、ダイコン、イチゴ、ジャガイモのうちの１種もしくは複数種を含む双子葉植物における、植物の生長もしくは植物の生産性の向上、または土壌品質の向上のための使用に適合されている。
【手続補正１１】
【補正対象書類名】明細書
【補正対象項目名】００７３
【補正方法】変更
【補正の内容】
【００７３】
一部の実施形態では、無土壌生長培地は、イネ、コムギ、トウモロコシのうちの１種もしくは複数を含む単子葉植物および／またはトマト、キュウリ、マメ類、エンドウマメ、ブロッコリー、キャベツ、大豆、カリフラワー、レタス、ダイコン、イチゴ、ジャガイモのうちの１種もしくは複数種を含む双子葉植物の実生の育成に適合されていてもよい。
【手続補正１２】
【補正対象書類名】明細書
【補正対象項目名】００８５
【補正方法】変更
【補正の内容】
【００８５】
一部の実施形態では、本方法は、コムギ、イネ、コムギ、トウモロコシのうちの１種もしくは複数を含む単子葉植物および／またはトマト、キュウリ、マメ類、エンドウマメ、ブロッコリー、キャベツ、大豆、カリフラワー、レタス、ダイコン、イチゴ、ジャガイモのうちの１種もしくは複数を含む双子葉植物のための、植物生長の促進に適合されていてもよい。
【手続補正１３】
【補正対象書類名】明細書
【補正対象項目名】００８６
【補正方法】変更
【補正の内容】
【００８６】
一部の実施形態では、本方法は、コムギ、イネ、トウモロコシのうちの１種もしくは複数を含む単子葉植物および／またはトマト、キュウリ、マメ類、エンドウマメ、ブロッコリー、キャベツ、大豆、カリフラワー、レタス、ダイコン、イチゴ、ジャガイモのうちの１種もしくは複数を含む双子葉植物について、種子の発芽を促進するように適合されていてもよい。
【手続補正１４】
【補正対象書類名】明細書
【補正対象項目名】００８８
【補正方法】変更
【補正の内容】
【００８８】
本発明の第１の実施形態によると、双子葉植物、あるいはコムギ、イネおよびトウモロコシから選択される単子葉植物について、植物の生長、植物の生産性、種子の発芽、あるいは土壌品質を向上させる方法であって、前記植物に、少なくとも１種の植物有益性のバークホルデリア属様の種を含む処理剤を適用するステップを含み、前記少なくとも１種の植物有益性のバークホルデリア属様の種は、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）に対する１６Ｓ  ｒＲＮＡの配列同一性が少なくとも９７％であり、前記植物の根にバイオフィルムを形成するように構成されている、方法が提供される。
【手続補正１５】
【補正対象書類名】明細書
【補正対象項目名】００８９
【補正方法】変更
【補正の内容】
【００８９】
本発明の第２の実施形態によると、以下のステップを含む、植物の生長を促進する方法が提供される。
双子葉植物、あるいはコムギ、イネおよびトウモロコシから選択される単子葉植物の種子または実生を、少なくとも１種の植物有益性のバークホルデリア属様の種を含む有効量の処理剤で処理するステップであって、前記少なくとも１種の植物有益性のバークホルデリア属様の種は、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）に対する１６Ｓ  ｒＲＮＡの配列同一性が少なくとも９７％であり、且つ前記実生または前記種子から発生した実生の根にバイオフィルムを形成するように構成されており、
前記種子または実生を、無土壌生長培地において初期期間育成して、小植物体まで育成するステップと、
前記小植物体を圃場または温室条件に移植するステップ。
【手続補正１６】
【補正対象書類名】明細書
【補正対象項目名】００９０
【補正方法】変更
【補正の内容】
【００９０】
本発明の第３の実施形態によると、双子葉植物、あるいはコムギ、イネおよびトウモロコシから選択される単子葉植物について、植物の生長、植物の生産性、種子の発芽率または土壌品質を向上させるために使用する微生物接種材料であって、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）、Burkholderia oxyphila、Burkholderia sacchari、Burkholderia ferrariae、Burkholderia heleia、およびBurkholderia bannensisからなる群から選択される少なくとも１種の細菌を含み、前記少なくとも１種の細菌は、前記微生物接種材料によって処理された種子または土壌を用いて発芽または生長させた植物の根に、バイオフィルムを形成するように構成されている、微生物接種材料が提供される。
【手続補正１７】
【補正対象書類名】明細書
【補正対象項目名】００９１
【補正方法】変更
【補正の内容】
【００９１】
本発明の第４の実施形態によると、双子葉植物、あるいはコムギ、イネおよびトウモロコシから選択される単子葉植物に対して使用する、少なくとも１種の植物有益性のバークホルデリア属様の種からなる群から選択される少なくとも１種の細菌を含む肥料組成物であって、前記少なくとも１種の植物有益性のバークホルデリア属様の種は、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）に対する１６Ｓ  ｒＲＮＡの配列同一性が少なくとも９７％であり、且つ前記肥料組成物によって処理された植物の根にバイオフィルムを形成するように構成されている、肥料組成物が提供される。
【手続補正１８】
【補正対象書類名】明細書
【補正対象項目名】００９２
【補正方法】変更
【補正の内容】
【００９２】
本発明の第５の実施形態によると、双子葉植物、あるいはコムギ、イネおよびトウモロコシから選択される単子葉植物の実生を育成するために使用する無土壌生長培地であって、少なくとも１種の植物有益性のバークホルデリア属様の種からなる群から選択される少なくとも１種の細菌を含み、前記少なくとも１種の植物有益性のバークホルデリア属様の種は、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）に対する１６Ｓ  ｒＲＮＡの配列同一性が少なくとも９７％であり、且つ前記無土壌生長培地で育成させた実生の根にバイオフィルムを形成するように構成されている、無土壌生長培地が提供される。
【手続補正１９】
【補正対象書類名】明細書
【補正対象項目名】００９３
【補正方法】変更
【補正の内容】
【００９３】
本発明の第６の実施形態によると、双子葉植物、あるいはコムギ、イネおよびトウモロコシから選択される単子葉植物の被覆植物種子であって、少なくとも１種の植物有益性のバークホルデリア属様の種からなる群から選択される少なくとも１種の細菌を含むコーティングで被覆されており、前記少なくとも１種の植物有益性のバークホルデリア属様の種が、細菌ＳＯＳ３（２０１６年６月２日に受託番号Ｖ１６／０１３９１０として、３２０７  オーストラリア国、ビクトリア州、ポートメルボルン、バーティー・ストリート  １／１５３のオーストラリア国立標準研究所に寄託）に対する１６Ｓ  ｒＲＮＡの配列同一性が少なくとも９７％であり、且つ前記被覆植物種子から育成された実生の根にバイオフィルムを形成するように構成されている、被覆植物種子が提供される。